(57)【要約】【課題】  物質、特に化粧品やケア製品を包装する装置を提供し、内容積が可変な容器とフローレジューサーを備え、その装置を比較的シンプル且つ安価に作っても、所望量の物質を容易に分配できるようにすること。【解決手段】  フローレジューサーを、少なくとも部分的に弾性変形可能で圧縮可能な材料から作り、それが実質的に閉じた、少なくとも一つの流路（１１）を、使用しない状態においてその伸長部の少なくとも一つのポイントに有し、容器の内容積がユーザーの動作に応じて減る時に、前記材料が物質からの圧力効果により圧縮されることによって、流路が適切に開き、それによって物質を分配できるようにする。【選択図】図１
2005324868.tif 000002
【特許請求の範囲】
【請求項１】
内容積を変えるのに適した弾性変形可能な壁を有した容器と、フローレジューサーを備え、物質、特に化粧品やケア製品を包装する装置において、
フローレジューサーが少なくとも部分的に、弾性変形圧縮可能な材料から作り出され、使用しない時に実質的に閉じる流路（１１）を、伸長部の少なくとも一つのポイントに有し、前記流路は、容器の内容積がユーザーによって与えられる動作に応じて減って、前記材料が物質から圧力を受ける時、適切に広がり、それによって物質を分配することができ、フローレジューサーが、流路が使用しない時の位置において、実質的に閉じた状態から広げられるように構成されていることを特徴とする装置。
【請求項２】
容器が逆さまの位置にある時、フローレジューサーは重力により物質が流れない適切なものであることを特徴とする請求項１に記載の装置。
【請求項３】
フローレジューサーが、物質アウトレットの近くまたは容器の内部のそばに、少なくとも一つのセットバック（１５、１６、１７）を有し、前記少なくとも一つの流路（１１）が、セットバックに開口していることを特徴とする請求項２に記載の装置。
【請求項４】
前記セットバック（１５；１７）が、一般的な円錐形状をしており、前記少なくとも一つの流路（１１）に向かって集まることを特徴とする請求項３に記載の装置。
【請求項５】
前記セットバック（１６）が、一般的な筒状をしており、特に円筒形であることを特徴とする請求項３に記載の装置。
【請求項６】
前記セットバック（１５、１６）を、容器の内部に位置することを特徴とする請求項３〜５のいずれか一項に記載の装置。
【請求項７】
前記セットバック（１７）を、容器の外部に位置することを特徴とする請求項４〜６のいずれか一項に記載の装置。
【請求項８】
フローレジューサーが、前記少なくとも一つの流路（１１）の各対向端部に位置した、二つのセットバックを有することを特徴とする請求項３〜５のいずれか一項に記載の装置。
【請求項９】
フローレジューサーが、容器の外部に、その頂部を介して開口した前記少なくとも一つの流路を有することを特徴とする請求項１〜８のいずれか一項に記載の装置。
【請求項１０】
フローレジューサーが、単一孔（２４）を有することを特徴とする請求項１〜９のいずれか一項に記載の装置。
【請求項１１】
フローレジューサーが、単一スロット（２５）を有することを特徴とする請求項１〜９のいずれか一項に記載の装置。
【請求項１２】
フローレジューサーが、各共通の端部において交差するか合わさる複数のスロット（２５）を有することを特徴とする請求項１〜９のいずれか一項に記載の装置。
【請求項１３】
フローレジューサーが、その中間で互いに交差した少なくとも二つのスロット（２５）を有することを特徴とする請求項１２に記載の装置。
【請求項１４】
フローレジューサーは、共通した別個の端部を各々具備した少なくとも三つのスロット（２５）を有し、スロットがフローレジューサーの軸線（Ｘ）の周りに規則的に分配されることを特徴とする請求項１２に記載の装置。
【請求項１５】
フローレジューサーは、幅が代わる少なくとも一つのスロットを有することを特徴とする請求項１〜９のいずれか一項に記載の装置。
【請求項１６】
前記少なくとも一つの流路が、材料を取り除くことなく作られることを特徴とする請求項１〜１５のいずれか一項に記載の装置。
【請求項１７】
フローレジューサーが、接着剤、熱シーリング、クランプ固定によって、またはリベットのように嵌め込むことによって、直接または一つ以上の分離パーツによって、固定されることを特徴とする請求項１〜１６のいずれか一項に記載の装置。
【請求項１８】
フローレジューサーが、前記少なくとも一つの流路の軸線（Ｘ）に対して横に延びる面（１２）を介して、支持部（８）の壁に固定されることを特徴とする請求項１７に記載の装置。
【請求項１９】
前記壁（８）が、フローレジューサー（１０）に嵌めこまれる環状リブ（２９）を有することを特徴とする請求項１８に記載の装置。
【請求項２０】
フローレジューサー（１０）が、発泡体のブロックによって構成されることを特徴とする請求項１〜１９のいずれか一項に記載の装置。
【請求項２１】
フローレジューサーが、多層構造から成ることを特徴とする請求項１〜１９のいずれか一項に記載の装置。
【請求項２２】
多層構造の層（１０ａ；１０ｂ；１０ｃ）の少なくとも一つが、別の層と異なる密度を有するか、または別の層と異なる材料から作られることを特徴とする請求項２１に記載の装置。
【請求項２３】
物質用のアウトレットオリフィスに最も近い層（１０ａ）が、空気に対して浸透性があることを特徴とする請求項２２に記載の装置。
【請求項２４】
フローレジューサーが、物質を塗布する際に使用するため適切な表面を画定すること特徴とする請求項１〜２３のいずれか一項に記載の装置。
【請求項２５】
フローレジューサーが、物質を塗布するために使用されないことを特徴とする請求項１〜２２のいずれか一項に記載の装置。
【請求項２６】
フローレジューサー（１０）が、装置の頂部表面から戻されることを特徴とする請求項２５に記載の装置。
【請求項２７】
フローレジューサー（１６３）が、容器を閉じるストッパー（１６５）の内部形状に適合する適切なものであることを特徴とする請求項１〜２６のいずれか一項に記載の装置。
【請求項２８】
ストッパー（１６５）が容器上の適所に置かれると、フローレジューサー（１６３）が圧縮されることを特徴とする請求項２７に記載の装置。
【請求項２９】
フローレジューサーが、取り外しできないように直接または間接的に容器に固定されることを特徴とする請求項１〜２８のいずれか一項に記載の装置。
【請求項３０】
フローレジューサーが、容器の頸部にそれ自体取付けられるインサートに固定されることを特徴とする請求項１〜２９のいずれか一項に記載の装置。
【請求項３１】
フローレジューサーが、容器の本体に関して可動な支持部に固定されることを特徴とする請求項１〜２９のいずれか一項に記載の装置。
【請求項３２】
フローレジューサーが、容器の本体に関して可動なシャッター要素（１１０；１２２；１８４）に固定されることを特徴とする請求項３１に記載の装置。
【請求項３３】
シャッター要素（１１０）が、容器に収容された物質を容器から出すことができる第一位置と、容器に収容された物質を容器から出さない第二位置との間を、可動であることを特徴とする請求項３２に記載の装置。
【請求項３４】
フローレジューサーが、物質の流れる方向に関して、シャッター要素から下流に位置されることを特徴とする請求項３３に記載の装置。
【請求項３５】
容器は、容器の本体に関して回すことによって、動かすことができて、選択的に容器に収容された物質の流出を遮断したり、遮断を止めたりするために作用する、シャッター要素を有することを特徴とする請求項１〜３４のいずれか一項に記載の装置。
【請求項３６】
フローレジューサーが、フロック加工または織布または不織布タイプのコーティング（１６９）でカバーされた、一つ以上の面を有することを特徴とする請求項１〜３５のいずれか一項に記載の装置。
【請求項３７】
フローレジューサーが、空気を取り入れるために空気に対して浸透性があることを特徴とする請求項１〜３６のいずれか一項に記載の装置。
【請求項３８】
フローレジューサーが、連続気泡発泡体から作られることを特徴とする請求項３７に記載の装置。
【請求項３９】
空気を、フローレジューサーの側部表面（２７）を介して取り入れることができる空間（２１）を具備することを特徴とする請求項１〜３８のいずれか一項に記載の装置。
【請求項４０】
フローレジューサーの周りに、からの空間を具備することを特徴する請求項３９に記載の装置。
【請求項４１】
フローレジューサーが、容器の外部に開口した面（１２）を介して、容器に固定されることを特徴とする請求項１〜４０のいずれか一項に記載の装置。
【請求項４２】
容器の内容積を減らすため、ユーザーによって押しつぶされる適切な、弾性変形可能な壁（２ａ；２１１ａ）を有することを特徴とする請求項１〜４１のいずれか一項に記載の装置。
【請求項４３】
容器（２）が、一般的な長い断面、例えば楕円形断面であることを特徴とする請求項１〜４２に記載の装置。
【請求項４４】
容器の内容積を減らすため、容器が、ユーザーによって押しつぶされる適切な、二つの主要な面（２ｂ；２ｃ）を有することを特徴とする請求項１〜４３のいずれか一項に記載の装置。
【請求項４５】
ユーザーが容器を強く押しつぶす時、容器が、画定する壁部分を前記面と互いに接触させるため、充分に変形可能であることを特徴とする請求項４４に記載の装置。
【請求項４６】
容器が、蝶番（１２３）によってレジューサーの本体に接続された、カプセル（１２２）を具備することを特徴とする請求項１〜４５のいずれか一項に記載の装置。
【請求項４７】
容器が、50ミリリットル（ml）から約600ml、特に約200mlから600mlの範囲内の容積を有することを特徴とする請求項１〜４６のいずれか一項に記載の装置。
【請求項４８】
容器が、以下の物質：シャワージェル；シャンプー；ボディローション；及びオイル；の中の一つを収容することを特徴とする請求項１〜４７のいずれか一項に記載の装置。
【請求項４９】
フローレジューサーが、殺菌剤のフィルターを収容することを特徴とする請求項１〜４８のいずれか一項に記載の装置。
【請求項５０】
フローレジューサーが、磁性または磁化可能な粒子のフィルターを収容することを特徴とする請求項１〜４９のいずれか一項に記載の装置。
【請求項５１】
フローレジューサーが、合成物、またはフエルト、またはポリウレタン、ポリエステル、ポリエーテル、ポリ塩化ビニル（PVC）、またはニトリルブチルゴム（NBR）の発泡体から作られることを特徴とする請求項１〜５０のいずれか一項に記載の装置。
【請求項５２】
フローレジューサーが、固定容積のハウジングに位置されることを特徴とする請求項１〜５１のいずれか一項に記載の装置。
【請求項５３】
フローレジューサーが、容積可変なハウジングに位置されることを特徴とする請求項１〜５２のいずれか一項に記載の装置。
【発明の詳細な説明】
【技術分野】
【０００１】
本発明は、物質特に化粧品及び／またはケア製品を包装する装置に関連するものであり、その物質は液体または粉末状である。
【背景技術】
【０００２】
液体例えばシャンプーを収容するフラスコに、フラスコをひっくり返した場合でも、物質が漏れるのを遅らせるか、または全く防止するために作用するフローレジューサーを、備えることがよく知られている。
【０００３】
ゆえに米国特許明細書第5 924 605号は、物質による推進力で開き且つ、前記推進力がなくなった時に最初の閉鎖位置へ戻る適切な、少なくとも一つの分配スロットを有する部材の形をした、フローレジューサーを具備する分配装置を示している。
【０００４】
フランス国特許明細書第FR 2 771 078号は、物質の流出を更に連続させことができる分配ヘッドを開示しており、ヘッドは、スロットを備えた部材によって構成された、フローレジューサーを具備しており、その縁部が使用しない状態に合っていない。
【０００５】
公開書類フランス国FR-A-2 294 533及び米国US 5 186 368は、別のフローレジューサーを記載している。
【０００６】
多数の包装及び塗布装置も既知のように、容器に挿入する塗布装置と、発泡体から作り出されたワイパー部材の両方を有している。一例として、国際特許出願明細書WO 97/31553は、そのような装置を記載している。
【０００７】
塗布部材が発泡体から作られた、包装及び塗布装置も知られている。米国特許明細書第3 226 762号は、ワックスを塗る装置と、円筒状本体と、本体において可動なピストンを備えた装置を記載している。物質は、それが通る複数の孔を有する発泡体のブロックを介して分配される。
【０００８】
英国特許明細書GB 470 101は、折り畳み可能な金属管またはプランジャーに取付けられる硬質管によって構成されている。分配オリフィスは、弾性材料による二つのブロックによって閉じられ、それらは製品を通すため離してもよい。二つのブロックは、横方向では管の頸部と上端部では横壁に接触している。
【０００９】
英国特許明細書GB 869 580は、例えば種子や丸薬を分配する容器を記載しており、それは通常閉じたスリットを有する弾力性材料のキャップを備え、指圧がスリットの向かい合った側部に加わると、前記スリットを開くことができる。
【００１０】
米国特許明細書第2 232 140は、管の外側に配置する弾性金属のディスクによって閉じられる開口部を有し、且つ製品の分配中に開く放出スリットを備えている。
【発明の開示】
【発明が解決しようとする課題】
【００１１】
フローレジューサーを具備した新しい包装装置から利点を得る必要があり、その装置はシンプル且つ製作が安価であるにもかかわらず、所望の量の物質の分配を簡単にできる。
【課題を解決するための手段】
【００１２】
本発明は、この必要性を物質、特に化粧本及び／またはケア製品を包装する装置によって満足させ、その装置は内容積を可変な容器及びフローレジューサーを備え、その装置は少なくとも部分的に弾性変形できる圧縮可能な材料から作られ、使用しない時にはその伸長部分の少なくとも一ポイントに、少なくとも実質的に閉じる流路を有し、ユーザーによって行われる動作に反応して、容器の内容積が減ると、物質からの圧力効果によって前記材料が圧縮力を受けると、前記流路は適切に広がり、それによって物質を分配できる。
【００１３】
流路は使用しない時に実質的に閉じているので、特に容器がひっくり返っている場合でも、大量の物質の漏れを避けることが可能になる。
【００１４】
従って、フローレジューサーは容器を逆さにした時に重力によって、物質の流出を防止するのに適切であり得る。
【００１５】
物質からの圧力効果により流路が曲がりくねると、特に実質的に物質の流れの方向に対して垂直な方向に、材料が圧縮され得る。
【００１６】
一例として、流量減少材料は細胞状または繊維状であり得、例えば任意に物質を吸収できるフエルトまたは多孔性発泡体から成る。
【００１７】
材料の可撓性により、物質が分配を終えた時、前記少なくとも一つの流路を実質的に閉じた状態に戻すことができる。
【００１８】
一例として、フローレジューサーは、全体的に比較的低コストの発泡体で作られ得る。発泡体のブロックを取付けることは、二重射出成形またはオーバー成形によって弾性部材をもたらすよりも、安価であることは明らかであろう。
【００１９】
また圧縮可能な材料を使用することで、特に前記材料が一定の多孔性を有し、変形するのであれば、物質が突然漏れるどのようなリスクも簡単に避けられる。
【００２０】
前記少なくとも一つの流路が閉じると、前記フローレジューサーが任意に空気を浸透できる。空気が浸透可能なフローレジューサーによって、前記少なくとも一つの流路を閉じている間、フローレジューサーの空気の浸透は有利には、物質が分配された後、空気を容易に容器に引き込むことによるものである。特に、フローレジューサーは、連続気泡で作られ得る。空気が浸透可能なフローレジューサーは、また前記少なくとも一つの流路に挿入するのに適切なエンドピースを有した注入器によって、容器を簡単に、充填することもでき、充填する間、フローレジューサーは空気が浸透可能なので、フローレジューサーを介して通り、空気を容器から漏出させることができる。
【００２１】
装置は、空気をフローレジューサーの側表面を介して取り入れる空間を具備し得る。一例として、装置はそれゆえフローレジューサーの周囲に、環状の空の空間を具備し得る。
【００２２】
そのような空間は、空気を取り入れる間、容易に空気を流することができる。
【００２３】
前記少なくとも一つの流路の寸法と、特にフローレジューサーの軸線に対して平行に測定されるその長さ、その幅、その厚さ及び／またはその直径、圧縮可能な材料の密度、及びその特性が、所望の流量を関数として選択され得る。それらは、前記フローレジューサーを介する重力により物質が流れるのを、容器の内容積を少しも減少させないで、防止するためにも選択され得る。
【００２４】
フローレジューサーは、正方形、矩形、楕円形、及び円形から選ばれた、形状を有する前記少なくとも一つの流路の軸線に対して垂直な横断面の圧縮可能な材料のブロックによって構成され得るか、またはそれを具備し得る。形状は上記リストに限定されるものではない。
【００２５】
フローレジューサーは、物質用のアウトレットに、または容器の内部に、少なくとも一つの逆流部を、逆流部の中に開口する前記少なくとも一つの流路と共に含み得る。
【００２６】
逆流部は、前記少なくとも一つのオリフィスに向かって集まる形状をした、一般的な円錐形であり得るか、特に円筒形であり得る。それは容器の内部または外部に配置され得る。
【００２７】
本発明の実施形態において、フローレジューサーは二つの逆流部を有し、それが前記少なくとも一つの流路の各対向端部にある。
【００２８】
本発明の別の実施形態において、フローレジューサーは、少なくとも容器の内部または外部に、実質的な平表面を有している。
【００２９】
またフローレジューサーは、容器の内部または外部に突出部と、突出部の先端で開口した前記少なくとも一つの流路も具備し得、前記突出部が、例えば塗布装置及び／または容器を閉じるために要素と相互作用するため、容器の外部に作用する。突出部は、例えば出て行く物質を容易にユーザーの手に向けるためにも作用し得る。
【００３０】
フローレジューサーの高さは、その横断面の最大寸法と等しいか、それよりも大きいか、またはその高さは、その横断面の最大寸法と等しいか、それよりも小さい。フローレジューサーの高さは、ヘッドを無くした状態を関数として選択され、また所望の流量を関数として、及び／またはフローレジューサーを容器に取付ける方法を関数として、分配中にセットアップするのが望ましい。
【００３１】
本発明の実施形態において、フローレジューサーは、単一流路のみ、例えば単一孔または単一スロットを有している。変形例では、フローレジューサーは、複数の流路、例えば共通の端部で合わさるかまたは交差する複数のスロット、例えば中間で交差する少なくとも二つのスロットを有し得る。フローレジューサーは、共通の端部を共有する少なくとも三つのスロットも有し得、スロットはフローレジューサーの軸線方向の周囲に角度を設けて規則的に分配置される。
【００３２】
フローレジューサーは、取り外し可能な材料なしで作られた少なくとも一つの流路を具備し得る。
【００３３】
フローレジューサーは、広い種々の方法で取付けられ得る。
【００３４】
一例として、フローレジューサーは容器の内部に位置するか、変形例では容器の外部を向いた端面を介して固定される。そのような固定は、例えばリベットのような、一つ以上の補助ピースを任意に使用して、フローレジューサーを嵌め込むことによって達成され、それらのピースは、接着剤、熱シーリング、クランプ固定、例えば熱シーリング、貼り付け、またはスナップ固定され得るが、それらの方法に制限されるものではない。
【００３５】
フローレジューサーは、前記少なくとも一つの流路の軸線に横方向に延びる面を介して、支持壁に固定され得る。壁は、フローレジューサーに嵌めこまれる環状リブを有し得る。
【００３６】
フローレジューサーは、圧縮可能な材料の単一ブロックを備え得る。変形例では、フローレジューサーは多層構造からなり得る。前記構造の層の少なくとも一つは、少なくとも一つの別の層とは密度が異なるか、または別の層とは異なる材料から作られ得る。特に、層の一つは空気の取り入れに関して、充分な空気の浸透を容易にできるように作られ得る。問題となる層は、例えばアウトレットオリフィスに最も近い層であり得る。
【００３７】
本発明の実施形態において、フローレジューサーは物質を塗布する際に使用するのに適した表面を画定し得る。変形例において、フローレジューサーは、例えばそれが処理される表面に接触するのに適した、いかなる部分も有していないので、物質を塗布するために使用されない。特にフローレジューサーは、装置の先端表面から戻るように位置され得る。そして装置は、装置の外の表面、例えば肌に対してフローレジューサーを押さないで、物質を分配することができるように配置され得る。
【００３８】
フローレジューサーは、容器を閉じるストッパーの内部形状に合致する適切なものであり得る。そのような状況下で、一例として、ストッパーが適所にある時、フローレジューサーはストッパーによって圧縮され得、そしてストッパーが引き戻されると広がる。ストッパーが適所にある時にフローレジューサーを圧縮することは、例えば物質の量及び、装置を使用しない間に圧縮可能な材料内に蓄えられる空気の量を減らすのに役立つ。
【００３９】
本発明の実施形態において、フローレジューサーが取り外しできないように、容器に直接または間接的に固定される。フローレジューサーは、インサートに固定され得、インサートはそれ自体、容器の頸部に取付けられるか、または変形例において容器の本体に関して可動な支持部に固定され、前記支持部が例えば閉鎖部材の一部分を構成する。
【００４０】
容器の頸部は、例えばストッパーを適所にネジ止めできるように、ネジが切られてもよい。容器は蝶番によって容器の本体に接続されたカプセルを有し得、適切にはフローレジューサーが、前記カプセルに直接または間接的に固定される。容器の頸部を取り外すと、カプセルは容器を簡単に充填し得る。
【００４１】
本発明の実施形態では、フローレジューサーがフロック加工、または織布、あるいは不織布タイプのコーティングで覆われた、一つ以上の面を有しており、前記コーティングは、例えばフローレジューサーをより快適に塗布させ、且つ／または外見をよりアピールするために作用する。
【００４２】
有利には、容器が弾性変形可能な壁を有し、その上をユーザーが、容器の内容積を減らすために押す。容器はユーザーから放されると、最初の形状に戻ることができる。
【００４３】
容器の横断面は、一般的な伸長形、例えば楕円形であり得、それは容器の内容積を減らすため、ユーザーによって共に押しつぶすのに適切な二つの主要な面を備えている。一例として、ユーザーが容器を強く押すと、容器は前記面を画定する壁部分を、互いに接触するまで充分変形可能であり得る。
【００４４】
フローレジューサーに加えて、装置は、圧力が偶然容器に加わった場合に、物質が分配しないようにすることを目的とした、シャッター機構を有し得、例えば機構は可動なシャッター要素、特に移動時または回転時に可動な要素を備える。そのようなシャッター機構は、例えばストッパーを使用することを避けることができる。
【００４５】
フローレジューサーは、容器の本体に関して可動で且つ、例えば容器に収容された物質を容器から出すことができる第一位置と、容器に収容された物質を容器からでないようにする第二位置との間を移動時に。可動シャッター要素に固定され得る。一例として、フローレジューサーは物質の流れる方向において、シャッター要素から下流に位置してもよい。またフローレジューサーは、上流にも配置され得る。
【００４６】
確定した実施形態において、本発明の包装及び分配装置は、もしフローレジューサーがアウトレットに達する物質が経る管路に配置されていれば、容器の本体に関して回転すると、そのアウトレットに向かって、またはフローレジューサーに向かって動くことができ、容器に収容された物質の外向きの流れを中断させたり、中断させなかったりするために作用する、シャッター要素も有し得る。
【００４７】
確定した実施形態において、本発明の包装及び分配装置は、フローレジューサーを外部から隔離するのに適した閉鎖部材を備える必要がない。
【００４８】
容器の容積が、50ミリリットル（ml）から約600ml、特に約200mlから600mlの範囲内にあり、一例としてそれは以下の物質、シャワージェル、シャンプー、ボディローション、オイルの中の一つを収容し得るが、前記の物質に限定されるものではない。
【００４９】
塗布要素をフローレジューサーを介して容器の中に挿入することはせずに、容器の内容積を減らすことによって物質が分配され、そのレジューサーがワイパーを構成しないことは明らかであろう。
【００５０】
フローレジューサーは、細胞状または繊維状の材料、例えば多層合成物、フエルト、またはポリウレタン、ポリエステル、ポリエーテル、ポリ塩化ビニル（PVC）、またはニトリルブチルゴム（NBR）の発泡体から作り出され得、好ましくは親水性または疎水性の特性を有し得る。
【００５１】
フローレジューサーは殺菌剤、例えば金属塩（metallic salts）の充填材を収容し得る。
【００５２】
またフローレジューサーは、磁性または磁化可能な粒子の充填材も収容し得る。
【００５３】
フローレジューサーは、可変または固定の大きさのハウジングに位置し得る。
【００５４】
また本発明は、別の見方によると、物質特に化粧品及び／またはケア製品を包装する装置を提供しており、装置はその内容積を変える適切で弾性変形可能な壁を有した容器と、フローレジューサーを備えており、その装置は、フローレジューサーが、少なくとも部分的に弾性変形可能で圧縮可能な材料から作り出され、且つ使用しない時に実質的に閉じる少なくとも一つの流路を、その伸長部の少なくとも一つのポイントに有し、前記材料がユーザーにより行われる動作に応じて、容器の内容積を減らす際に、前記材料が物質から圧力を受けると、前記流路は適切に広がり、それによって物質を分配することができ、フローレジューサーは、流路がその使用しない時の位置で、実質的にその閉じた状態から広がると、圧縮可能な材料の大きさを減らすように形成されることを特徴とする。
【００５５】
また本発明は、他の見方によると、物質特に化粧品及び／またはケア製品を包装する装置を提供しており、装置は内容積可変な容器とフローレジューサーを備え、その装置は、フローレジューサーが少なくとも部分的に、弾性的に変形可能で圧縮可能な空気浸透性材料から作り出され、且つ使用しない時に少なくとも一つの実質的に閉じる流路を、その伸長部の少なくとも一つのポイントに有し、前記材料がユーザーにより行われる動作に応じて、容器の内容積を減らす際に、前記材料が物質から圧力を受けると、前記流路が適切に広がり、それによって物質を分配することができることを特徴とする。
【００５６】
また本発明は、また別の見方によると、物質特に化粧品及び／またはケア製品を包装する装置を提供しており、装置は内容積可変な容器とフローレジューサーを備え、その装置は、フローレジューサーが少なくとも部分的に、弾性的に変形可能で圧縮可能な空気浸透性材料から作り出され、且つ使用しない時に少なくとも一つの実質的に閉じる流路を、その伸長部の少なくとも一つのポイントに有し、前記材料がユーザーにより行われる動作に応じて、容器の内容積を減らす際に、前記材料が物質から圧力を受けると、前記流路が適切に広がり、それによって物質を分配することができること、そして装置が、レジューサーの圧縮可能な材料を取り囲む環状空間を、その高さの少なくとも一部分に備えることを特徴とする。
【００５７】
環状空間が、圧縮可能な材料と頸部との間に位置し、変形例では圧縮可能な材料と容器の頸部に配置されたインサートの壁との間に位置し得る。
【００５８】
また本発明は、また他の見方によると、物質特に化粧品及び／またはケア製品を包装する装置を提供しており、装置は内容積可変な容器とフローレジューサーを備え、その装置は、フローレジューサーが少なくとも部分的に、弾性的に変形可能で圧縮可能な空気浸透性材料から作り出され、且つ使用しない時に少なくとも一つの実質的に閉じる流路を、その伸長部の少なくとも一つのポイントに有し、前記材料がユーザーにより行われる動作に応じて、容器の内容積を減らす際に、前記材料が物質から圧力を受けると、前記流路が適切に広がり、それによって物質を分配することができること、そして物質の圧力を受けると、圧縮可能な材料の圧縮率を制限しないように、フロージューサーが、装置の剰余部に固定されることを特徴とする。
【発明を実施するための最良の形態】
【００５９】
本発明は、本発明を限定しない以下の詳しい記載を読み、添付図面を参照すると、よく理解されるであろう。
【実施例】
【００６０】
図１は、本発明の第一実施例を構成した包装装置１を示している。
【００６１】
装置１は、軸線Ｘの容器２を備え、容器はネジ止め閉鎖キャップ４を受けるのに適切な、外部ネジ付頸部３を頂部に具備している。
【００６２】
容器２は、液体物質Ｐ、例えばシャワージェル、シャンプー、ボディローション、またはオイルを収容している。本発明は、一つの特別な物質に限定されるものではなく、物質Ｐは液体状である必要はなく、粉末状でもあり得る。
【００６３】
記載例において、容器２は図２に示されているような、実質的に楕円形横断面を有する管状壁２ａを有する本体を備え、それによって二つの主要な面２ｂ及び２ｃを画定している。管状壁２ａは、弾性変形可能なプラスティック材料から作られている。例では容器２が、平坦な底部を有している。
【００６４】
ユーザーは、管状壁２ａを押しつぶして、指で主要な面２ｂ及び２ｃを押すことによって、容器の内容積を減らすことができる。そのような圧縮の間、主要面２ｂ及び２ｃを画定する壁２ａの向かい合った部分が、もし壁２ａの可撓性によって可能であれば、互いに接触することができる。壁２ａを放すと、容器はその弾力性によりそのもとの形状に戻る傾向がある。
【００６５】
示されている実施例において、頸部３は頸部に力によって嵌めこまれ、且つ中心アウトレット９によって貫通されたプレート８に頂部で接続する、管状スカート７を備えたインサート６を受ける。プレート８は、頸部３の頂端表面に対して止まる周縁部を有している。管状スカート７は、頸部３の内表面に対して漏れ止めするように押す。
【００６６】
装置１は、記載の例において軸線Ｘの周りで実質的に円筒形の形状をした、発泡体から作られたフローレジューサー１０を具備しており、その頂面１２はインサート６のプレート８に固定されている。変形例では、フローレジューサー１０は他にまたは補助的に、管状スカート７に固定され得る。フローレジューサー１０は、例えば接着剤または熱シーリングによって、インサート６に固定することができる。
【００６７】
示されている例において、フローレジューサー１０は、例えばポリウレタン、ポリエステル、ポリエーテル、PVC、またはNBFのから作られた発泡体の単一ブロックから成るが、それに限定されるものではない。一般的な方法で、発泡体は連続（open）、半連続（semi-open）、または独立（closed）の気泡を有することができる。容器がそのもとの容積に戻っている間、連続気泡発泡体は、容易に空気の取り入れができる。
【００６８】
フローレジューサーは、使用しない間、その幅を横切る少なくとも一つのポイントで、実質的に閉じ且つ、物質のからの圧力により開口できる、流路１１によって貫通されている。
【００６９】
一例として流路１１は、図１１に示されているように、軸線Ｘ上で単一孔２４によって構成することができる。
【００７０】
一例として、フローレジューサー１０が選択的に、孔の代わりに一つ以上のスロットを、例えば図１２に示されているように単一スロット２５を備え得る。そのようなスロットは、実質的に矩形で、使用しない時に実質的に接触する縁部を有することができ、前記縁部は、例えばフローレジューサーの軸線Ｘと一致するスロットの中心と共に、直径上に位置する。スロット２５は全直径に沿って、または直径の一小部分だけに沿って延びることができる。
【００７１】
図１３に示されているように、フローレジューサーは軸線Ｘと一致した共通の端部を共有する三つのスロット２５によっても、構成することもでき、スロットは例えば軸線Ｘの周囲に等しい角度で分配置されている。
【００７２】
図１４に示されているような別の変形例では、部材１０が互いに垂直に且つその中間で交差する二つのスロット２５を有することができる。
【００７３】
図１５に示されているような、また別の変形例では、フローレジューサー１０が中間で交差し、且つ軸線Ｘの周囲に等しい角度で分配配置された、三つのスロット２５を備えることができる。
【００７４】
流路１１の別の形態は、フローレジューサーの発泡体、例えば任意の円形孔及び／またはスロットの組合せによってもたらされ、そのような流路は、材料を取り外して、またはそれを取り外さないで作られる。
【００７５】
図１に示された例において、フローレジューサー１０はその横断面の直径よりも高さが小さく、フローレジューサー１０の頂面１２が、インサート６の頂面から戻され、フローレジューサー１０の頂面１２及び底面１３は実質的に平面上である。フローレジューサーの側部表面が、管状スカート７の放射状内部表面に接触している。
【００７６】
空気の取り入れを容易にするため、空間２１がフローレジューサーの側部表面２７と管状スカート７との間に、図３に示されているように、有利に備えることができる。この図面では、空間２１は環状だが、変形例においてそれは何か他の形状でもよく、例えばそれは半円または他の断面のチャンネルの形であり得る。
【００７７】
図３の例において、フローレジューサー１０は、プレート８の下に固定される頂面を有している。インサート７は、プレート８の下に延びる環状リブ２９を有し、そのリブは、フローレジューサーをインサートに対して熱シーリングする時、熱せられる。
【００７８】
図３の例において、空気を取り入れる時、空間２１に達するように、空気が好ましい方法で側部表面２７を介して流れることができることは理解されよう。
【００７９】
物質が通過軸１１以外で、フローレジューサーを貫通できることを図示するため、図４は別の実施例を示しており、フローレジューサーが側方開口部２３を有したカゴに受容されている。カゴは、互いにスナップ固定される二つの部分２３１及び２３２から作られている。フローレジューサーを収容したハウジングの底部を画定する部分２３１が、容器に収容された物質を、開口部２３に到達させる開口部２３３を有している。示されていない変形例では、部分２３１の底壁を、オリフィスが貫通している。
【００８０】
フローレジューサーは、どの特別な形状に制限されるものでもなく、図５に示されているように、容器の内部に面した底面１３は、セットバック１５とセットバックの頂部に開口した流路１１を具備することができる。
【００８１】
一例として、セットバック１５が一般的な円錐状の形をし得、流路１１に向かって集まるか、または図６に示されているような変形例では、それは円筒状の形をし得、特に図１６に示されているような、円形筒状であり得る。セットバック１５の形状は、例えば物質の特性と所望の流量を関数として、選択することができる。
【００８２】
変形例において、底面１３は平面であり得、頂面１２は、図７に示されているように、流路１１に向かって集まる一般的な円錐形状をしたセットバック１７を具備することができる。
【００８３】
セットバック１７は、図７の実施例に示されているように、頂面１２の一部分だけを占めることができ、または図８に示されているような変形例では、セットバックは全体の頂表面１２をカバーすることができる。一例として、容器が直立位置であれば、セットバック１７は、物質がインサートを離れる前、ユーザーに物質がフローレジューサーを出始めるのを見せることができる。そのようなセットバックは、また例えば注入器によって容器を簡単に充填するために作用することもでき、そのエンドピースは、流路１１に嵌めこまれる。
【００８４】
例えば容器を放す時、もし容器が直立位置であると、セットバック１７は、排出物質を容易に流路１１へ戻すことをすることもできる。
【００８５】
一つ以上のセットバックの存在は、物質からの圧力により流路１１を簡単に開くようにもでき、例えば、それは流路がスロットの形をしている時、スロットの縁部を簡単に離れるように動かすことを容易にすることによる。
【００８６】
図９で見られるように、フローレジューサー１０は、その底面１３と頂面１２の一方または両方に、突出部２０も支持することができ、流路１１が突出部の頂部を介して開口している。そのような突出部は、例えば物質をインサートにおける開口部を介し、アウトレットに向かって導くため作用することができる。発泡体がインサートに固定されている間、突出部２０は、発泡体がプレート８に対して圧縮されることにより生じ得る。
【００８７】
例えば図１０に示されているような多層構造として、フローレジューサーを作ることは、本発明の範囲内であり、複数の層１０ａ、１０ｂ及び１０ｃはＸ軸方向に重ね合わされ、例えば各層は異なる材料から作られている。変形例において、幾つかの層は同じ材料から作られ得る。層１０ａ、１０ｂ及び１０ｃは、密度が異なり得る。アウトレットオリフィスに最も近い層１０ｃは、最も低い密度を有することができ、それによって空気の取り入れ中に空気の進入を容易にし、例えば図３の実施例に示されているように、空気を尽かさせる空間をフローレジューサーの周囲に備える。また層１０は、支持部の壁、例えばインサート７のプレート８を組立てることがより容易な材料を、使用することもできる。重ね合わされる層の数は任意であり、例えば二個、三個、またはそれ以上の層である。
【００８８】
フローレジューサーを形成する（一つ以上の）材料と、それによって作られた（一つ以上の）流路の特徴は、有利には物質が重力によりフローレジューサーを介して流れ出ないように、確実な方法で有利に選択される。
【００８９】
フローレジューサーは、容器の頸部に挿入されるインサート以外で、容器に固定することができる。
【００９０】
一例として、図１６に部分的に示されているように、本発明による別の実施例を構成する装置３０は、ネジ付頸部３を有する容器２を備え、そこにカプセル３１が留められている。示されている変形例では、カプセルが容器の頸部にスナップ固定できる。
【００９１】
カプセル３１は、頸部３の内壁に対して押す底部シーリングリップ３２を有している。
【００９２】
カプセル３１の頂部は、カプセル３１に固定されるフローレジューサーを受容するハウジング３３を画定しており、例えばハウジングの底面は容器の内部を向いている。
【００９３】
フローレジューサー３４は、示されているように、カプセル３１を越えて突出することができ、例えばその頂面に盛り上がる形の部分３５を具備することができ、それによってセットバックを画定している。
【００９４】
フローレジューサー３４は、孔またはスロットの形であり得る、流路１１によって貫通され、例えば前記流路１１はセットバックの中間で、開口することができる。
【００９５】
装置３０は、閉鎖キャップを必要とせず、フローレジューサー３４は、重力により容器から物質が流れ出すのを防止するような方法で、作ることができ、ゆえに使用しない時に充分な漏れ止め閉鎖を行う。フローレジューサーを構成する材料は、例えば独立気泡を有することができる。
【００９６】
フローレジューサーが、カプセル３１を越えて突出していると、カプセル３１を越えて突出した部分が、図１６に示されているもの以外の形状にでき、例えばそれは図１７に示されているように、外方向への膨張部であり得る。図１７においてフローレジューサー３４は、外方向に向かって凸状突出部を有しているのが見ることができる。そのような突出部は、物質がそれを通って出るように作用する。
【００９７】
図１８は、本発明の別の実施例を構成する装置４０を示している。
【００９８】
装置４０は、その頂端部に環状ビード４３で終端した頸部４２を備えている。
【００９９】
装置４０は、スナップ固定によって上記ビード４３に固定された、底部スカート４６を具備している。
【０１００】
またカプセル４５は、内部リップ４８も有し、内部リップは、下方へ突出し且つ軸線Ｘの周囲で円筒形状をしたフローレジューサー５０を、配置し且つ保持するために作用する。
【０１０１】
フローレジューサー５０は、流路１１、例えば孔または一つ以上のスロットによって貫通されている。
【０１０２】
またカプセル４５は、閉鎖カプセル（図示せず）を取付けるため任意に作用できるエンドピース５２も有している。
【０１０３】
記載例において、フローレジューサー５０は、高さがその直径よりも大きい。フローレジューサー５０は、その高さの主な部分が拘束されておらず、その長さがリップ４８の長さよりも長い。
【０１０４】
図１９は、本発明による別の実施例を構成する装置６０を示している。
【０１０５】
上記二つの装置のように、この装置６０は圧縮可能な壁を具備した容器２を有している。
【０１０６】
容器は、スナップ固定ビード６３を備えた頸部６２を有している。
【０１０７】
分配カプセル６５は、容器２に固定されており、前記カプセルが蝶番フラップの形をしたカバー６６と、流路１１によって軸線方向に貫通されたフローレジューサー６７とを備え、その流路が例えば、孔または一つ以上のスロットによって構成され得る。
【０１０８】
カプセル６５は、側部が容器の内部を向いたプレート７０を具備しており、頸部の内壁に対して押すシーリングリップ７１を支持している。
【０１０９】
スカート７１に関して同心の組立スカート７１が、ネック６２にスナップ固定されている。
【０１１０】
プレート７０は、上向きの円筒状壁７４によって画定された分配開口部７３を有している。
【０１１１】
カバー６６は、フィルム蝶番８０によってプレート７０に接続されている。
【０１１２】
環状シーリングリップ８１は、カバー６６上に作られており、カバー６６が閉じた時、壁７４に対して嵌め込まれる。
【０１１３】
フローレジューサー６７は、シーリングリップ７１によって放射状に画定された内部空間に収納されている。フローレジューサー７６は、例えばその頂面を介してプレート７０に貼り付けることができる。
【０１１４】
図２０は、本発明によるまた別の実施例を構成する装置９０を示している。装置９０は、その頂部で頸部９２に取付けられる圧縮可能な壁を有し、そこにスナップ固定されたシャッター９１を有している。
【０１１５】
シャッター９１は、組立スカート９６を備えた底部９５と、頸部９２の内壁に対して押す環状シーリングリップ９７を備えている。組立スカート９６は、ネック９２の環状リム９９にスナップ固定するのに適した、環状ビード９８を有している。また底部９５は、上方へ延びる管状壁１００も備え、その頂端部が環状ビー度１０１を支持している。壁１００は、側方流路１０６を頂端部の近くに有するチムニー１０５を取り囲んでおり、チムニー１０５が横壁１０７による切頭円錐形の頂部を有する。
【０１１６】
またシャッター９１は、低い遮断位置と高い分配位置との間を底部９５に関して可動な、頂部１１０も有している。
【０１１７】
頂部１１０は、ユーザーによって軸線上で動かすために適切な、外部スカート１１１を有し、その底端部は、環状ビード１０１の下に嵌め合わさる環状ビード１１２を有しており、それにより頂部１１０が底部９５に保持される。
【０１１８】
また頂部１１０は、横方向に延びる貫通した頂部壁１１５も有し、フローレジューサー１１６がその下に配置されている。容器の外部を向いた側部に、フローレジューサー１１６が、壁１１５における開口部を介して突出する突出部１１７を有することができる。フローレジューサーを例えば、適所に置いた後、壁１１５は、成形中に垂直に作ることができ、そして未だ熱いうちに四方を内向きに折り下げる。
【０１１９】
シャッター９１が図２０に示されているように、その遮断位置にある時、頂部１１０は、チムニー１０５に対して漏れ止めするように当接して、前記流路１０６を閉じるために適切なシャッタースカート１１８も有している。
【０１２０】
チムニー１０５の頂端部の形状と一致した形状の切頭円錐形オリフィスによって、中心を貫通された壁１１９によって、横壁１１５に接続されている。
【０１２１】
物質を分配するため、ユーザーは頂部１１０を上げる。そして環状ビード１１２は環状ビード１０１に対して当接して、スカート１８がもはや流路１０６をさえぎらないで、容器に収容された物質を、流路１０６を介してフローレジューサー１１６に向かって流すことができる。
【０１２２】
使用後、ユーザーは頂部１１０を下方へ押して、シャッター９１をその遮断位置に持っていく。
【０１２３】
図２１は、図２０の装置９０とは異なる装置９０´を示しており、特にフローレジューサー１１６´は、シャッターの頂部１１０´ではなく、その底部９５´にリップ９７´の内部で固定されている。
【０１２４】
図２２は、本発明による更に別の実施例を構成した装置１２０を示している。
【０１２５】
装置１２０は、容器（図示せず）の内部と連結した頸部１２１を有している。頸部１２１は、フィルム蝶番１２３を介してカプセル１２２に接続されている。カプセル１２２が閉鎖位置にある時、頸部１２１の内壁に対して押すのに適切なスカート１２７を、カプセル１２２が支持している。
【０１２６】
カプセル１２２が閉鎖位置にある時、カプセルはフローレジューサー１２５を、容器の内部を向いた側で受容する。
【０１２７】
カプセル１２２は、分配オリフィス１２４を有し、その中にフローレジューサー１２５を介して通る流路１１が開口している。
【０１２８】
フローレジューサーをカプセル１２２に固定することで、カプセルが図２２に示されているように、その開放位置にある間、その頸部を介して容器を簡単に充填できるようにしている。
【０１２９】
図２３は、本発明によるまた更に別の実施例を構成した装置１３０を示している。
【０１３０】
装置１３０は、圧縮可能な壁を有した容器１３１とエンドピース１３２を備え、エンドピース上に固定された分配カプセルを具備している。
【０１３１】
カプセルは、フローレジューサーを受容するために、図２４で断面を示したハウジング１３４を収容している。
【０１３２】
ハウジング１３４は、カプセル１３３の内部に延びるダクト１３７を介して、エンドピース１３２と連結している。
【０１３３】
図２４に示されているように、フローレジューサー１３５は、例えばスナップ固定によってカプセル１３３に固定されたリング１３６によって、ハウジング１３４に保持することができる。
【０１３４】
図２５は、本発明による他の実施例を構成した装置１４０を示している。
【０１３５】
装置１４０は、頸部１４２を具備した容器１４１を備えており、頸部はフローレジューサー１４３を持っている。容器１４１は、カプセル１４５を留めることができる、くびれ１４４を具備している。
【０１３６】
頸部１４２は、分配エンドピース１４７をスナップ固定によって固定することができる、環状ビード１４６を有する。
【０１３７】
カプセル１４５は、エンドピース１４７を押すのに適切な内部シーリングスカート１５０を備えている。
【０１３８】
上記の幾つかの実施例において、フローレジューサーが、装置の硬い壁の縁部よりも後ろにセットされるので、物質を塗布するために使用できない。
【０１３９】
変形例において、フローレジューサーは例えば肌に接触することで、物質用の塗布装置として作用するように、使用することができる。
【０１４０】
一例として、図２６及び図２７が示した装置において、フローレジューサー１６３が肌に接触するため適切に形成されている。
【０１４１】
装置１６０は、圧縮可能な壁とネジ付頸部を有し、管の形をした容器１６１を備え、フローレジューサー１６３が部分的に嵌め込まれている。フローレジューサーは、それを通過する流路１１を有している。
【０１４２】
容器１６１は、内部キャビティ１６６の体積を画定するキャップ１６５によって、閉じることができ、内部キャビティの体積は頸部１６２を越えて突出するフローレジューサー１６３の一部分の体積よりも小さく、キャップ１６５が頸部１６２に留められると、フローレジューサー１６３は圧縮され、且つキャビティ１６６の内部形状に一致するようになる。
【０１４３】
例えば装置を図２７に示されているように、逆さにして使用するため、キャップ１６５が取り外されると、形状記憶を表すフローレジューサー１６３が膨張して、そのもとの形状に戻る。
【０１４４】
例えば塗布をより快適に行うため、フローレジューサー１６３は、その表面上にフロック加工または織布または不織布のようなカバーリング１６９を有することができる。
【０１４５】
図２８は、本発明による別の実施例を構成した装置１７０を示している。
【０１４６】
装置１７０は、フック１７２の形をした一方の端部を有し、装置１７０を支持部１７３に引っ掛けるようにした、容器１７１を備えており、その頭部が下を向いて吊り下がっている。
【０１４７】
フック１７２から遠位の端部において、装置１７０は流路１１によって貫通されたフローレジューサー１７４を有し、フローレジューサー１７４の材料が、物質を重力により漏れださないように、構成されている。
【０１４８】
例えばフィルム蝶番によって容器の本体に接続された閉鎖キャップ１７９は、装置を使用しない時、示されているようにアウトレットオリフィスを任意に閉じることを目的に備えることができる。
【０１４９】
図２０を参照すると、記載されたシャッター９１によって、シャッターがその遮断位置から分配位置へ、可動部分を軸線方向に動かすことによって、移動させる。
【０１５０】
変形例において、装置は閉鎖位置から分配位置へ移行するように回ることができる、部分を具備したシャッターを有することができる。
【０１５１】
この選択を図示するため、図２９はシャッター機構１８１を備えた装置１８０を示しており、シャッター機構は容器の頸部１８２に固定するための底部１８３と、閉鎖位置と分配位置との間を底部１８３に関して回るのに適した頂部１８４を備えている。
【０１５２】
底部１８３は、例えば頸部１８２に留められる組立スカート１８５と、頸部１８２の表面に対して漏れ止めするように当接するシーリングリップ１８６とを、備えている。
【０１５３】
また底部１８３は、内部スカート１８７も有し、それに対して頂部１８４の外部スカート１８８が、スナップ固定されている。
【０１５４】
底部１８３は、互いの間に開口部１９３を置いた材料のブリッジによって、相互接続された、二つの同心管状壁１９０及び１９１を有し、内壁１９０は実質的に横壁１９４までの半分の高さで閉じられ、且つ横壁の上に横開口部１９５を有している。
【０１５５】
頂部１８４は、壁１９０と１９１との間に延びる管状壁１９６を有している。この管状壁１９６は、頂部１８４がその分配位置を取ると、横開口部１９５と同軸に持ってくことができる、横開口部１９７を有し、そして物質は、壁１９０と１９１との間を、横開口部１９５及び１９７を介して流れ、横壁１９４の上の管状壁１９６の内部に入る。
【０１５６】
頂部１８４がその閉鎖位置になると、管状壁１９６が横開口部１９５を閉じて、容器を閉じる。
【０１５７】
頂部１８４は、例えば流路１１によって貫通された発泡体のブロックによって構成された、フローレジューサー２０１を受容することができるハウジング２００を画定している。
【０１５８】
もちろん、本発明は上記の例に限定されるものではない。
【０１５９】
フローレジューサーを収容するキャビティは、体積が固定または可変であり得る。
【０１６０】
一例として、図３０は体積が可変なキャビティを示しており、キャビティは、前記キャビティの端壁を構成するオリフィス２１１によって貫通された壁２１０と、頸部２１５上により大きな或いはより小さな範囲で留めるのに適切なリング２１４に属する壁２１２との間で、画定される。壁２１２は、オリフィス２１６によって貫通されている。壁２１０は示されているような頸部を組み込むことができるか、または分離部分によって構成することができ、例えばインサートが容器の頸部に嵌めこまれる。リング２１４を頸部２１５上により大きな或いは小さな範囲で留めることによって、フローレジューサーがより大きな或いはより小さな程度で圧縮され、ゆえに分配中における物質の流れに関するその特性を、変えることができる。
【０１６１】
フローレジューサーの断面は、円対称である必要はなく、例えば、その断面は図３１〜図３３の各々で示されているように、楕円、正方形、または矩形の形状にもできる。
【０１６２】
またフローレジューサーに、フロック加工、または織布あるいは不織布タイプのカバーリングで、例えば図２７に示されているように、覆われた一つ以上の面を有することも可能である。
【０１６３】
また物質を分配させるため、容器の内容積を減らすような方法で、ユーザーによって圧縮される適切なベローを有する容器を使用することも可能である。
【０１６４】
流路１１が少なくとも一つのスロットを有すると、スロットは幅を変えることができ、例えばその対向縁部が図３４及び図３５に示されているように、アウトレットに向かって集まるか、分かれることができる。
【図面の簡単な説明】
【０１６５】
【図１】本発明の第一実施例を構成する包装及び分配装置の軸線方向断面の概略的且つ断片的な図。
【図２】図１のII-II線で容器を介した断面図。
【図３】フローレジューサーの別の実施例とそれを留める方法を示した図。
【図４】フローレジューサーの別の実施例とそれを留める方法を示した図。
【図５】フローレジューサーの別の実施例とそれを留める方法を示した図。
【図６】フローレジューサーの別の実施例とそれを留める方法を示した図。
【図７】フローレジューサーの別の実施例とそれを留める方法を示した図。
【図８】フローレジューサーの別の実施例とそれを留める方法を示した図。
【図９】フローレジューサーの別の実施例とそれを留める方法を示した図。
【図１０】フローレジューサーの別の実施例とそれを留める方法を示した図。
【図１１】特にフローレジューサーに関する種々の流路の形状を示した図。
【図１２】特にフローレジューサーに関する種々の流路の形状を示した図。
【図１３】特にフローレジューサーに関する種々の流路の形状を示した図。
【図１４】特にフローレジューサーに関する種々の流路の形状を示した図。
【図１５】特にフローレジューサーに関する種々の流路の形状を示した図。
【図１６】本発明の別の実施例を構成する装置の軸線方向断面の断片的且つ概略的な図。
【図１７】図１６の装置の変形例を示した図。
【図１８】本発明の他の実施例を構成する装置の概略的且つ断片的な軸線方向断面図。
【図１９】本発明の他の実施例を構成する装置の概略的且つ断片的な軸線方向断面図。
【図２０】本発明の他の実施例を構成する装置の概略的且つ断片的な軸線方向断面図。
【図２１】図２０の装置の変形例を示した図。
【図２２】本発明のまた別の実施例を構成する装置の概略的且つ断片的な軸線方向断面図。
【図２３】本発明の更に別の実施例を構成する装置の概略的且つ断片的な斜視図。
【図２４】図２３の装置の詳細部を示した概略的且つ断片的な軸線方向断面図。
【図２５】本発明のまた他の実施例を構成する装置の概略的且つ断片的な軸線方向断面図。
【図２６】本発明の更に他の実施例を構成する装置の概略的且つ断片的な軸線方向部分断面図。
【図２７】ストッパーを取り外した図２６の装置を示した図。
【図２８】本発明の別の実施例を構成する装置の概略的且つ断片的な図。
【図２９】本発明のまた別の実施例を構成する装置の概略的且つ断片的な図。
【図３０】本発明の更に別の実施例を構成する装置の概略的且つ断片的な図。
【図３１】特にフローレジューサーに関する他の形状の横断面を示した図。
【図３２】特にフローレジューサーに関するまた他の形状の横断面を示した図。
【図３３】特にフローレジューサーに関する更に他の形状の横断面を示した図。
【図３４】幅が変わるスロットの形をした流路の軸線方向断面図。
【図３５】幅が変わるスロットの形をした流路の軸線方向断面図。
【符号の説明】
【０１６６】
１        装置
２        容器
２ａ      壁
２ｂ      面
２ｃ      面
３        頸部
４        キャップ
６        インサート
７        管状スカート／インサート
８        支持部／壁／プレート
１０      フローレジューサー
１０ａ    層
１０ｂ    層
１０ｃ    層
１１      流路
１２      頂面
１３      底面
１５      セットバック
１６      セットバック
１７      セットバック
２０      突出部
２１      空間
２３      開口部
２４      孔
２５      スロット
２７      側部表面
２９      環状リブ
３０      装置
３１      カプセル
３２      シーリングリップ
３３      ハウジング
３４      フローレジューサー
４０      装置
４１      容器
４２      頸部
４３      環状ビード
４５      カプセル
４６      底部スカート
４８      リップ
５０      フローレジューサー
５２      エンドピース
６０      装置
６２      頸部
６３      ビード
６５      カプセル
６６      カバー
６７      フローレジューサー
７０      プレート
７１      シーリングリップ
７２      組立スカート
７３      開口部
７４      壁
８０      フィルム蝶番
８１      シーリングリップ
９０      装置
９０´    装置
９１      シャッター
９２      頸部
９３      容器
９５      底部分
９６      組立スカート
９７      シーリングリップ
９７´    リップ
９８      環状ビード
９９      リム
１００    壁
１０１    環状ビード
１０５    チムニー
１０６    側方流路
１０７    横壁
１１０    シャッター要素／頂部
１１０´  頂部
１１１    外部スカート
１１２    環状ビード
１１５    頂部壁
１１６    フローレジューサー
１１６´  フローレジューサー
１１７    突出部
１１８    スカート
１１９    壁
１２０    装置
１２１    頸部
１２２    シャッター要素／カプセル
１２３    フィルム蝶番
１２４    分配オリフィス
１２５    フローレジューサー
１２７    スカート
１３０    装置
１３１    容器
１３２    エンドピース
１３３    分配カプセル
１３４    ハウジング
１３５    フローレジューサー
１３７    ダクト
１４０    装置
１４１    容器
１４２    頸部
１４３    フローレジューサー
１４４    くびれ
１４５    カプセル
１４６    環状ビード
１４７    エンドピース
１４９    閉鎖キャップ
１５０    シーリングスカート
１６０    装置
１６１    容器
１６２    ネジ付頸部
１６３    フローレジューサー
１６５    ストッパー／キャップ
１６９    コーティング／カバーリング
１７０    装置
１７１    容器
１７２    フック
１７３    支持部
１７４    フローレジューサー
１７９    閉鎖キャップ
１８０    装置
１８１    シャッター機構
１８２    頸部
１８３    底部分
１８４    シャッター要素／頂部
１８５    組立スカート
１８６    シーリングリップ
１８７    内部スカート
１８８    外部スカート
１９０    管状壁
１９１    管状壁
１９３    開口部
１９４    横壁
１９５    横開口部
１９６    管状壁
１９７    横開口部
２００    ハウジング
２０１    フローレジューサー
２１０    壁
２１１    オリフィス
２１１ａ  壁
２１２    壁
２１４    リング
２１５    頸部
２１６    オリフィス
２３１    部分
２３２    部分
２３３    開口部
Ｘ        軸線
【図１】
2005324868.tif 000003
【図２】
2005324868.tif 000004
【図３】
2005324868.tif 000005
【図４】
2005324868.tif 000006
【図５】
2005324868.tif 000007
【図６】
2005324868.tif 000008
【図７】
2005324868.tif 000009
【図８】
2005324868.tif 000010
【図９】
2005324868.tif 000011
【図１０】
2005324868.tif 000012
【図１１】
2005324868.tif 000013
【図１２】
2005324868.tif 000014
【図１３】
2005324868.tif 000015
【図１４】
2005324868.tif 000016
【図１５】
2005324868.tif 000017
【図１６】
2005324868.tif 000018
【図１７】
2005324868.tif 000019
【図１８】
2005324868.tif 000020
【図１９】
2005324868.tif 000021
【図２０】
2005324868.tif 000022
【図２１】
2005324868.tif 000023
【図２２】
2005324868.tif 000024
【図２３】
2005324868.tif 000025
【図２４】
2005324868.tif 000026
【図２５】
2005324868.tif 000027
【図２６】
2005324868.tif 000028
【図２７】
2005324868.tif 000029
【図２８】
2005324868.tif 000030
【図２９】
2005324868.tif 000031
【図３０】
2005324868.tif 000032
【図３１】
2005324868.tif 000033
【図３２】
2005324868.tif 000034
【図３３】
2005324868.tif 000035
【図３４】
2005324868.tif 000036
【図３５】
2005324868.tif 000037